(57)【要約】【課題】遊技機内部の電源系統や基板等についても有効な異常対策を施す必要がある。【解決手段】パチンコ機１の背面側に電源基板２０を設けて必要な電力を調整して出力する。またパチンコ機１の背面側に払出制御基板２２や主基板２６、サブ制御基板２８、表示制御基板３０等を配置し、これらに配線３６ａ〜３６ｄを通じて電源基盤２０から低・中・高電圧の電力を供給する。サブ制御基板２８には電源モニタ３８が設けられており、この電源モニタ３８により各電源を監視することができる。【選択図】    図２
2004166947.tif 000002
【特許請求の範囲】
【請求項１】
遊技機の外部から取り込んだ電力を所望の状態に調整して出力する電源部と、
前記電源部から出力される電力を用いて遊技機の作動に必要な処理を実行する負荷部と、
前記電源部から出力された電力を前記負荷部に送電する電力供給路と、
前記負荷部に設けられ、前記電源部からの給電状態を表示する表示手段と
を具備したことを特徴とする遊技機の電源装置。
【発明の詳細な説明】
【０００１】
【発明の属する技術分野】
本発明は、遊技機の動作に必要な電力を供給する遊技機の電源装置に関する。
【０００２】
【従来の技術】
この種の電源装置に関する従来技術として、遊技機外部の元電源から所望電圧の電源を生成して、これを各種制御基板にそれぞれ供給するパチンコ遊技機の電源基板が挙げられる（例えば、特許文献１参照。）。この公知の電源基板ではさらに、外部元電源が停電した場合に各種制御基板にて記憶した情報をバックアップしたり、特定の制御基板に対してバックアップ用電源をあてがったりする対策を施している。
【０００３】
【特許文献１】
特開２００２−２３９０９８号公報（第２−３頁、図１２）
【０００４】
【発明が解決しようとする課題】
上述した公知の電源基板は、遊技機外部の元電源が停電した場合を想定して各種の対策を施したものと認められるものの、遊技機内部における電源系統の異常には何ら対応していない。
【０００５】
また公知の電源基板は、１つの電源生成回路から複数の制御基板にそれぞれ電力を供給しているため、遊技機内部での電気配線が輻輳化し、その分、配線やコネクタ等の電気部品を多く必要とするだけでなく、配線長も不所望に長くなる。このため例えば、電源配線の抜けかけにより制御装置に正しく電源が供給されていないケース等で遊技機が正常に動作しないような場合の異常原因の特定が難しく、修理作業の取掛がつかみにくい。
【０００６】
そこで本発明は、遊技機内部の電源系統や基板等について有効な異常対策を施すことを課題としたものである。
【０００７】
【課題を解決するための手段】
本発明の遊技機の電源装置は、遊技機内部での異常対策として主に、異常箇所を容易に特定可能な構成を採用している。その具体的な構成として、遊技機内部に電源部および負荷部を有しており、このうち電源部は、遊技機の外部から取り込んだ電力を所望の状態に調整して出力し、負荷部は、電源部から出力される電力を用いて遊技機の作動に必要な処理を実行する。また電源装置は、電源部から出力された電力を負荷部に送電するための電力供給路を有するとともに、上述した負荷部には、電源部からの給電状態を表示する表示手段が設けられている（解決手段１）。
【０００８】
遊技機内部に異常が生じた場合、通常、どの箇所に異常が生じているかは直ちに明らかでない。これに対し、本発明では電源系統の異常であるか、あるいは負荷部そのものの異常であるかを表示手段により最初に確認することができる。具体的には、遊技機の異常に際し、電源部から負荷部への給電が正常になされていることが表示手段により表示されている場合、少なくとも電力供給路を含む電源系統は正常であって、異常箇所は負荷部にあるということを容易に特定することができる。逆に、電源部から負荷部への給電がなされていることが表示手段により表示されていない場合、先ずは電力供給路を含む電源系統に異常があることを容易に特定することができる。
【０００９】
このため従来は、遊技機に異常が生じた場合、遊技機の設置・管理者は異常品と思われる基板を順次交換し、正常な動作が確認できるまで試行錯誤を繰り返す以外に修理の方法がなかったところ、本発明では最初に異常箇所を容易に特定できることから、修理の目処がつけやすく、効率的な作業を行うことができる。
【００１０】
また修理作業を行った後、電源部から負荷部への給電が正常になされていることが表示手段により改めて表示されれば、その修理作業が適切であったことを容易に確認することができる。
【００１１】
本発明の電源装置は、複数の負荷部を備えることもできる。この場合の構成は、上述した構成と同様の電源部と、この電源部から出力される電力を用いて遊技機の作動に必要な各種の処理を実行する複数の負荷部と、電源部から出力された電力を、各負荷部を経由して順次送電する電力供給路とを備えたものとなり、そして表示手段は、電力供給路を通じて最後に送電を受ける特定の負荷部に設けられたものとなる（解決手段２）。
【００１２】
上述した複数の負荷部は、個々に別々の処理を実行するため独立した要素となっている。例えば、第１の負荷部では遊技媒体の払出動作を制御し、第２の負荷部では遊技者に提供する遊技の進行を制御する場合がある。このような態様では、電源部から出力される電力は、電力供給路を通じて最初に第１の負荷部に送電された後、これを経由して次に第２の負荷部へ橋渡しするようにして送電される。
【００１３】
このような態様にあっても、遊技機に異常が生じた場合に電源部から特定の負荷部（上記例では第２の負荷部）への給電が正常になされていることが表示手段により表示されている場合、少なくとも電力供給路を含む電源系統は正常であって、異常箇所はいずれかの負荷部（第１または第２の負荷部）にあるということを容易に特定することができる。これは、電源部からみて特定の負荷部が最後の給電先であることから、ここでの正常な給電が確認できるならば、それ以前に給電を受けている負荷部へも正常に給電がなされていることが明らかであることに基づいている。
【００１４】
これに対し、電源部から特定の負荷部への給電がなされていることが表示手段により表示されていない場合、少なくとも電力供給路を含む電源系統のどこかに異常があることを容易に特定することができる。
【００１５】
電源装置が複数の負荷部を有する態様にあっては、特に電力供給路が以下の構成を有することが好ましい。すなわち電力供給路は、電源部および複数の負荷部の間を相互に接続する配線と、電源部および複数の負荷部に対し、各配線との接続形態を共通化させる共通コネクタとを含むものとなる（解決手段３）。
【００１６】
上述のように、異常時に電源部から特定の負荷部への給電がなされていないことが表示手段により表示されている場合、少なくとも電力供給路を含む電源系統のどこかに異常があることが明らかであるものの、この段階では具体的に異常箇所を特定するまでには至らない。そこで、実際の配線に共通コネクタを用いて電源部や負荷部との接続形態を共通化し、異常時には通常の接続順序に関係なく配線の差し換えを可能な状態にしておけば、各配線を順に特定の負荷部に差し替えていくことで、その表示手段を異常診断手段（いわゆるテスター）として機能させることができる。
【００１７】
上記の例でいえば、表示手段が設けられている第２の負荷部に繋がる配線を抜いてその共通コネクタ（ソケット側）を空けておき、そして、電源部から第１の負荷部に繋がる配線（プラグ側）を抜いてこれを第２の負荷部の空いた共通コネクタに差し換えて表示手段の表示を確認する。このとき電力の供給がなされていることが表示されていれば、第１の負荷部に繋がっていた配線は正常であることが確認される。したがって、この場合の異常箇所は第１の負荷部から第２の負荷部へ繋がっていた配線にあることが結果的に明らかとなる。
【００１８】
また電源装置が複数の負荷部を有する場合、これらは遊技媒体の払出を制御する払出制御基板と、遊技者に提供するべき遊技の進行を制御する主制御基板とを含んでおり、その接続関係は、電源部からの電力の供給順でみて払出制御基板の次に主制御基板が配置されている態様が好ましい（解決手段４）。このような態様は、遊技機が枠と遊技盤とに分離される場合に極めて好適である。
【００１９】
例えば遊技機の機種変更に際し、その本体を構成する枠はそのままで遊技盤だけを入れ替える場合がある。このとき、既存の枠に電源部および払出制御基板が設けられていれば、遊技盤の入れ替え時にあっても電源部と払出制御基板との間の接続関係を変更する必要がなく、新たに入れ替える遊技盤の主制御基板と既存の払出制御基板との間の接続関係を更新するだけでよい。
【００２０】
また上述のように、遊技機が本体を構成する枠と、この枠に脱着可能に取り付けられる遊技盤とに分離される場合、枠と遊技盤との間にて、電源部から負荷部へ供給される電力を中継する中継部が電力供給路に介挿されている態様が好ましい（解決手段５）。このような中継部は枠または遊技盤のいずれに設けられていてもよいが、特に中継部が枠の方に設けられていれば、上述のように遊技盤の入れ替え時に中継部と負荷部との間の接続関係だけを更新するだけでよくなる。
【００２１】
なお、この場合の電源装置の構成は、遊技機の本体を構成する枠に設けられ、外部から取り込んだ電力を所望の状態に調整して出力する電源部と、枠に脱着可能に取り付けられる遊技盤に設けられ、電源部から出力される電力を用いて遊技機の作動に必要な処理を実行する負荷部と、電源部から出力された電力を負荷部に送電する電力供給路と、この電力供給路に介挿され、枠と遊技盤との間にて電源部から負荷部へ供給される電力を中継する中継部と、負荷部に設けられ、電源部からの給電状態を表示する表示手段とを備えたものとなる。
【００２２】
また上記の構成についても同様に、その表示手段を異常診断手段として機能させるため、電力供給路が電源部、負荷部および中継部の間を相互に接続する配線と、電源部、負荷部および中継部に対し、各配線との接続関係を共通化させる共通コネクタとを含む態様が好ましい（解決手段６）。
【００２３】
また本発明において、表示手段は負荷部への給電がなされている場合に点灯する表示灯を含む態様が好ましい（解決手段７）。この場合、遊技機の異常時に表示灯の点灯の有無を確認するだけでよいので、異常箇所の特定やその診断を極めて迅速・容易に行うことができる。なお表示手段は、単に電源部から負荷部への給電の有無を表示するものだけでなく、給電が正常であるか否かの情報を表示するものであってもよい。
【００２４】
【発明の実施の形態】
本発明は、例えばパチンコ機やスロットマシン等の各種基板に電力を供給する電源装置として広く実施することができる。以下、一例として本発明をパチンコ機に適用した場合の実施形態について説明する。
【００２５】
図１は、パチンコ機１の内部（背面側）の構成を概略的に示している。パチンコ機１はその本体を構成する枠２を有しており、この枠２に各種の遊技機構や電子機器類が装備されている。なお、ここでいう枠２には、外枠のほかに前面枠や基枠（いずれも参照符号なし）等が含まれる。枠２のほぼ中央には遊技盤４が配置されており、この遊技盤４は枠２、特にその基枠に対して脱着可能に取り付けられている。図１には示されていないが、遊技盤４の正面側にはパチンコ機１の機種を特徴づける遊技盤面が形成されている。
【００２６】
枠２の背面には球タンク６や裏セット８が装備されており、このうち球タンク６は枠２の背面上部に配置され、また裏セット８は枠２の背面にて一側縁部（図１では右側）に配置されている。
【００２７】
図１に示されるパチンコ機１は、球貸用のカードユニット（図示していない）に接続して使用されるタイプであり、それゆえ、枠２にインタフェース基板１２が装備されている。インタフェース基板１２は通信用のポート１４を有しており、このポート１４に信号ケーブルを接続することで、カードユニットとの情報通信を行うことができる。
【００２８】
また枠２には、裏セット８の上方に分電基板１６が配置されており、この分電基板１６は電源コード１８を介して外部の業務用電源（例えばＡＣ２４Ｖ）に接続される。なお、カードユニットを用いないタイプのパチンコ機では、上述したインタフェース基板１２や分電基板１６を省略することができる。
【００２９】
枠２の下部には、遊技盤４の直下方に電源基板２０が装備されている。上述の外部電源は、分電基板１６からインタフェース基板１２および電源基板２０に分配されている。また電源基板２０とほぼ同じ高さの位置で、裏セット８の下方には払出制御基板２２が設けられている。さらに電源基板２０の直ぐ下方に発射制御基板２４が設けられている。
【００３０】
一方、遊技盤４には、その上部に主（制御）基板２６が設けられており、下部にはサブ制御基板２８が設けられている。さらに、図１でみて主基板２６の奥（パチンコ機１の正面寄り）に表示制御基板３０が設けられており、この表示制御基板３０は主基板２６に重なるようにして配置されている。
【００３１】
図２は、上述した各種基板の接続関係を図式的に示している。電源基板２０は、分電基板１６を通じて分配される外部電源から電力を取り込み、各種基板に供給するための電力を生成する。このとき電源基板２０は、変換器３２にて交流を直流に変換するとともに、例えば低・中・高電圧（それぞれＤＣ５Ｖ，１２Ｖ，３４Ｖ）の３段階に電圧を調整して出力する。なお、分電基板１６から電源基板２０へは分電ケーブル３４を通じて送電される。
【００３２】
電源基板２０から出力される電力は、最初に払出制御基板２２に送電される。図２には各種基板間での信号のやりとりについて特に示されていないが、払出制御基板２２は主基板２６からの指令信号に基づいて賞球の払出動作を制御するとともに、カードユニットからインタフェース基板１２を経由して入力される指令信号に基づき、貸球の払出動作をも制御する。また払出制御基板２２には発射制御基板２４が接続されており、発射制御基板２４は図示しないハンドルユニットおよび払出制御基板２２から入力される発射信号に基づいて遊技球の発射動作を制御する。なお発射制御基板２４には、図示しない発射モータが接続さている。
【００３３】
遊技盤４の主基板２６は、パチンコ機１による遊技の進行に伴い、上述した賞球指令信号の出力や役物の動作制御、当り判定、確率設定、入賞検出、大当り制御（大入賞口の開閉）、演出指示処理等を行うための各種の制御プログラムを実行している。
【００３４】
サブ制御基板２８は遊技の進行に伴う効果音や音声の出力、電飾発光等の制御を行うプログラムを実行しており、また表示制御基板３０は、遊技の進行に伴い遊技者に提供するべき画像や文字等の情報を設定し、その情報に基づいて液晶表示ユニット（図示していない）を制御している。
【００３５】
電源基板２０から出力される電力は、払出制御基板２２を経由して次に主基板２６に送電、つまり供給される。具体的には、電源基板２０と払出制御基板２２との間は、配線３６ａにより接続されており、そして、払出制御基板２２と主基板２６との間は配線３６ｂにより接続されている。このとき、電源基板２０から配線３６ａを通って送電された電力は、払出制御基板２２の電気回路を経由し、さらに配線３６ｂを通って主基板２６へ供給される。
【００３６】
同様に、主基板２６とサブ制御基板２８との間、またサブ制御基板２８と表示制御基板３０との間はそれぞれ配線３６ｃ，３６ｄにより接続されており、払出制御基板２２から先へは、主基板２６を経由してサブ制御基板２８、さらにサブ制御基板２８を経由して表示制御基板３０へと電力が順次橋渡しして供給される。なお、払出制御基板２２と発射制御基板２４との間もまた、配線３６ｅにより接続されており、この間でも払出制御基板２２を経由して発射制御基板２４に電力が供給されるものとなっている。
【００３７】
本実施形態では、上述のように供給電力が低・中・高電圧の直流に調整されているため、図２に示されるように、電源基板２０から表示制御基板３０までの配線３６ａ，３６ｂ，３６ｃ，３６ｄには例えば３系統の電力供給路が含まれている。なお、サブ制御基板２８と表示制御基板３０との間を接続する配線３６ｄには、例えば２系統（５Ｖ，１２Ｖ）のみの電力供給路が含まれるものであってもよい。
【００３８】
また本実施形態では、配線３６ａ〜３６ｅの具体的な接続に関し、これら配線３６ａ〜３６ｅを各種基板につなげるコネクタ（プラグおよびソケットを含む）３７が全て共通の規格（仕様）に統一されている。
【００３９】
そしてサブ制御基板２８には、上述した３系統をなす電力供給路上に電源モニタ３８が設けられている。この電源モニタ３８は、例えば図３に示されるように３つのＬＥＤ４０ａ，４０ｂ，４０ｃを有しており、これらＬＥＤ４０ａ，４０ｂ，４０ｃは３系統の電力供給路について、それぞれ１つずつ設けられている。特にサブ制御基板２８は、主基板２６のように公的機関による検査対象基板ではなく独立したユニットであって、面実装部品の使用不可等の制約を受けないものであるため、このような電源モニタ３８を設ける対象として好適である。
【００４０】
また図４に示されるように、各ＬＥＤ４０ａ，４０ｂ，４０ｃがどの電圧に対応しているかを表すため、例えば基板表面に文字情報（５Ｖ，１２Ｖ，３４Ｖ等）を付することが好ましい。なお、このような文字情報は、例えばサブ制御基板２８の保護用のクリアカバー（図示していない）の表面に付されていてもよい。
【００４１】
本実施形態の場合、電源モニタ３８は電源基板２０からサブ制御基板２８への給電状態（この例では電力の供給が正常になされているか否か）を各ＬＥＤ４０ａ，４０ｂ，４０ｃの点灯または消灯によって表示することができる。すなわち図３から明らかなように、ＬＥＤ４０ａ，４０ｂ，４０ｃの点灯は電源基板２０からサブ制御基板２８への給電が正常になされていることを表しており、逆にこれらの消灯は給電が正常になされていないことを表している。
【００４２】
より具体的には、ＬＥＤ４０ａ，４０ｂ，４０ｃのいずれか（１つまたは２つ）が消灯していれば、それに対応する電力供給路（配線３０ａ〜３６ｃおよび各種基板上の回路を含む）に断線等の異常があることが一目瞭然である。また、ＬＥＤ４０ａ，４０ｂ，４０ｃが全て消灯していれば、全ての電力供給路に異常があるか、あるいは電源基板２０に異常があるかのいずれかであることが明らかとなる。
【００４３】
したがって、ごく稀にパチンコ機１に異常が生じた場合にあっても、パチンコ機１の設置・管理者が当該パチンコ機１の背面を露出させて電源モニタ３８の表示を目視すれば、異常箇所がどこにあるのかを最初に確認することができるので、その後の修理作業への取掛が容易であるし、修理の目処をつけやすいという利点がある。あるいは、パチンコ機１の工場出荷時における組立不良の防止にも利用できる。
【００４４】
また異常時に、ＬＥＤ４０ａ〜４０ｃのいずれかの消灯が確認されている場合にあっては、サブ制御基板２８につながる配線３６ｃを抜いてコネクタ（ソケット側）３７を空けておき、そこへ他の配線３６ａ，３６ｂを差し替えてＬＥＤ４０ａ〜４０ｃが点灯するか否かを確かめることにより、電力供給路のどこに異常があるのかを検査（異常診断）することができる。このような配線３６ａ，３６ｂの差し替えは、上述のようにコネクタ３７の規格が共通化されているため極めて容易に行うことができる。この場合、サブ制御基板２８への配線３６ａ，３６ｂの差し替え時にＬＥＤ４０ａ〜４０ｃの点灯が確認されたものについては、少なくともそこまでの電力供給路に異常はないことが明らかとなる。
【００４５】
また修理作業の後にあっては、当該修理を行った配線３６ａ〜３６ｃをサブ制御基板２８に差し込んでＬＥＤ４０ａ〜４０ｃが点灯するか否かを確かめることにより、その修理作業が適切なものであったかを確認することができる。
【００４６】
なお本実施形態では、視認容易性の点からパチンコ機１の背面側からみえるサブ制御基板２８にＬＥＤを設けたが、パチンコ機１の背面側からみて主基板２６の奥に隠れた状態にある表示制御基板３０の一部または全部が視認可能な位置にある形態であれば、その位置にＬＥＤ４０ａ，４０ｂ，４０ｃを設けることもできる。この場合、これらＬＥＤ４０ａ，４０ｂ，４０ｃは低・中・高電圧について配線３６ｄをも含めた全電力供給路による給電状態をその末端で表示するので、全ての基板に正しく電力が供給されていることが確認できる。
【００４７】
また本実施形態では、電源基板２０からの電力の供給順でみて、払出制御基板２２の次に主基板２６が配置されているため、遊技盤４の入れ替え時に電源基板２０と払出制御基板２２との間をつなぐ配線３６ａを抜き差しする必要がない。このため不用意に配線３６ａを断線させたり、そのコネクタ３７を損傷させたり、抜き忘れたりすることがなく、異常が発生する機会を少なくすることができる。
【００４８】
上述の実施形態では、払出制御基板２２と主基板２６とが配線３６ｂを介して接続されるものとなっているが、図２に示されているように、パチンコ機１は別途、払出制御基板２２と主基板２６との間に中継基板４２が配置されている形態であってもよい。この場合、中継基板４２は枠２に設けられており、電力は払出制御基板２２から中継基板４２を経由して主基板２６へ橋渡しされるものとなる。この場合も同様に、遊技盤４の入れ替え時に電源基板２０と払出制御基板２２との間をつなぐ配線３６ａを抜き差しする必要がない。
【００４９】
本発明は上述した一実施形態に制約されることなく、各種の変形を伴って実施可能である。例えば、表示手段としての電源モニタ３８はＬＥＤの点灯表示を用いたものだけでなく、その他の表示（例えばアナログ指針による表示や液晶による文字表示等）を用いてもよい。
【００５０】
その他、一実施形態として図示とともに示した各種基板や配線等はあくまで好ましい例示であり、本発明の構成がこれらに限定されるものではない。また上述のように、本発明はパチンコ機だけでなく、スロットマシン等の遊技機全般に広く適用可能であることはいうまでもない。
【００５１】
【発明の効果】
本発明の遊技機の電源装置は、万が一異常が発生した場合にあってもその異常箇所の発見が容易であり、その後の対応を迅速・容易に行うことができる。また修理作業の後にその修理が適切であったことを確認できるため、修理作業の効率や信頼性が大きく高まる。
【図面の簡単な説明】
【図１】パチンコ機の背面図である。
【図２】電源装置の構成を概略的に示した図である。
【図３】電源モニタの回路図である。
【図４】サブ制御基板に電源モニタに関する文字情報を付した例を示した図である。
【符号の説明】
１    パチンコ機
２    枠
４    遊技盤
２０    電源基板（電源部）
２２    払出制御基板（負荷部）
２６    主基板（負荷部，主制御基板）
２８    サブ制御基板（負荷部）
３０    表示制御基板（負荷部）
３６ａ，３６ｂ，３６ｃ，３６ｄ    配線（電力供給路）
３７    コネクタ（共通コネクタ）
３８    電源モニタ（表示手段）
【図１】
2004166947.tif 000003
【図２】
2004166947.tif 000004
【図３】
2004166947.tif 000005
【図４】
2004166947.tif 000006